(57)【要約】【課題】くわえ側万力と印刷版の間隔によって生じる印刷版のたわみを除去し、良好な初期見当が得られるオフセット輪転印刷機における版掛け装置を提供する。【解決手段】オフセット輪転印刷機における版掛け装置において、版胴に設けられたくわえ側万力の隣接する万力同士の隙間に版押さえ部材を設置し、該くわえ側万力と印刷版の間隔によって生じる該印刷版のたわみを除去し、良好な初期見当を得られることを特徴とするオフセット輪転印刷機における版掛け装置。版押さえ部材の形状が、Ｄ型、Ｉ型、ｎ型から選ばれる版押さえ部材であることを特徴とする。【選択図】  図１
2005205760.tif 000002
【特許請求の範囲】
【請求項１】
オフセット輪転印刷機における版掛け装置において、版胴に設けられたくわえ側万力の隣接する万力同士の隙間に版押さえ部材を設置し、該くわえ側万力と印刷版の間隔によって生じる該印刷版のたわみを除去し、良好な初期見当を得られることを特徴とするオフセット輪転印刷機における版掛け装置。
【請求項２】
版押さえ部材の形状が、Ｄ型、Ｉ型、ｎ型から選ばれる版押さえ部材であることを特徴とする請求項１記載のオフセット輪転印刷機における版掛け装置。
【発明の詳細な説明】
【技術分野】
【０００１】
本発明は、オフセット輪転印刷機における版掛け装置に関するものであり、さらに詳しくは印刷版のたわみを除去して良好な初期見当が得られるオフセット輪転印刷機における版掛け装置に関するものである。
【背景技術】
【０００２】
枚葉紙に印刷をするオフセット輪転印刷機では、”フレキシブルベース版”と呼ばれる印刷版を使用し印刷を行うことがある。該印刷版の特徴は、印刷版のベースに紙またはフィルムなどを適用していることにあり、従来より使用されているアルミベース版と比べて価格が安価であることや、アナログ製版により作成されるアルミベース版よりも少ない工程で印刷版の作成が可能であり、小ロット短納期の印刷に向いていることから、主に軽印刷において広く使用されている。
【０００３】
また現在では、印刷材料費をコストダウンすること、増加している小ロット短納期の作業に対応することを目的に、高級カラー印刷においてもフレキシブルベース版が使用されている。
【０００４】
しかしながら、フレキシブルベース版は紙、フィルムなど腰の柔らかい材料をベースに適用しているため、初期見当において部分的な歪みが発生するなど、腰の硬い材料をベースに適用しているアルミベース版では見られない特有の問題を発生させる場合がある。
【０００５】
オフセット輪転印刷機における版掛け方法と共に、フレキシブルベース版の初期見当で部分的な歪みが発生する機構を図５を用いて説明する。
【０００６】
図５は、版胴に印刷版を装着した態様を示す斜視図である。オフセット輪転印刷機における版掛けは、印刷版２を版胴５に設けられているくわえ側万力３に挿入した後、くわえ側万力３を閉め、印刷版２のくわえ側を固定する。次に、印刷版２を版胴５の円周に沿って巻き付け、印刷版２を版胴５に設けられているくわえ尻側万力４に挿入した後、くわえ尻側万力４を閉め、印刷版２のくわえ尻側を固定する、という手順で行われる。
【０００７】
なお、図６のくわえ側万力の断面図に示すように、くわえ側万力８には印刷版７を挿入させるために設けられている間隔Ｘがある。該間隔は、印刷版７を挿入した後に版胴方向（矢印で図示）に閉められることにより、印刷版７が固定される。
【０００８】
このくわえ側万力８の間隔Ｘに印刷版７を挿入し固定するさいに、アルミベース版の場合は腰の硬い材料をベース適用しているため、図示した印刷版７のように該間隔でたわみが発生することは殆ど無い。従って、版掛けのさいには、図７のくわえ側万力付近の印刷版の断面図に示すように、版胴５の幅方向に対して印刷版１１のくわえ側が平行に近づきやすくなるため、図８の印刷用紙１２に印刷された印刷画像１３に示すように良好な初期見当を得ることができる。
【０００９】
一方、フレキシブルベース版の場合は、腰の柔らかい材料をベースに適用しているため、図９のくわえ側万力の断面図に示すように、印刷版１４は間隔Ｘでたわみが発生しやすい。従って、版掛けのさいには、図１０のくわえ側万力付近の印刷版の断面図に示すように、版胴５の幅方向に対して印刷版１５のくわえ側がたわみやすくなるため、図１１の印刷用紙１２に印刷された印刷画像１６に示すような部分的な歪みが発生した初期見当になりやすい。
【００１０】
従来より、この印刷版のたわみに起因する、初期見当の部分的な歪みを防止するため、版掛けのさいには圧着ロールにより印刷版を版胴方向に押さえるなどの対策が採用されてきた（例えば、特許文献１参照。）。
【００１１】
しかしながら、初期見当の部分的な歪みをより効果的に防止するためには、圧着ロールにより印刷版を版胴方向に押さえるのではなく、くわえ側万力と印刷版の間隔を無くし、該間隔で生じる印刷版のたわみを除去できる版掛け装置が有効と思われるが、今まではそのような版掛け装置が無かった。
【特許文献１】特開平７−３０４１６０号公報
【発明の開示】
【発明が解決しようとする課題】
【００１２】
本発明の目的は、上記の問題を解決することにあり、くわえ側万力と印刷版の間隔によって生じる印刷版のたわみを除去し、良好な初期見当が得られるオフセット輪転印刷機における版掛け装置を提供するものである。
【課題を解決するための手段】
【００１３】
本発明者は上記に鑑み鋭意研究した結果、本発明のオフセット輪転印刷機における版掛け装置を発明するに至った。
【００１４】
すなわち、本発明のオフセット輪転印刷機における版掛け装置は、版胴に設けられたくわえ側万力の隣接する万力同士の隙間に版押さえ部材を設置し、該くわえ側万力と印刷版の間隔によって生じる該印刷版のたわみを除去し、良好な初期見当を得られることを特徴とするものである。
【００１５】
本発明において、版押さえ部材として、Ｄ型、Ｉ型、ｎ型から選ばれる版押さえ部材であることを特徴とする。
【発明の効果】
【００１６】
以上説明したように、本発明におけるくわえ側万力と印刷版の間隔によって生じる印刷版のたわみを除去する装置により、フレキシブルベース版において発生する初期見当の部分的な歪みを、より効果的に防止できるようになった。
【発明を実施するための最良の形態】
【００１７】
以下、本発明のオフセット輪転印刷機における版掛け装置について、図面を用いて詳細に説明する。
【００１８】
図１は、本発明のくわえ側万力の隣接する万力同士の隙間に版押さえ部材を設置した一実施態様を示す斜視図である。図１に示すように、版押さえ部材１はくわえ側万力３の隣接する万力同士の隙間Ｙに設置されているが、該隙間Ｙはオフセット輪転印刷機の仕様によって異なるため、該版押さえ部材の幅は該隙間Ｙに応じて定めることが好ましい。
【００１９】
また、図２の本発明の版押さえ部材を設置した態様を示す断面図に示すように、くわえ側万力８に版押さえ部材６が設置されていることにより、該万力と印刷版７の間隔が無くなると共に、該版押さえ部材により版胴方向に圧力が加えられるため、印刷版７は版胴側へ密着している。
【００２０】
上記の状態であれば、腰の柔らかい材料をベースに適用しているフレキシブルベース版においても間隔Ｘで発生するたわみが除去されるため、図７のくわえ側万力付近の印刷版の断面図に示すように、版胴５の幅方向に対して印刷版１１のくわえ側が平行に近づきやすくなるため、図８の印刷用紙１２に印刷された印刷画像１３に示すように良好な初期見当が得ることができる。
【００２１】
なお、オフセット輪転印刷機の仕様によって、図２に示すくわえ側万力８の間隔Ｘの幅が異なる場合があるため、版押さえ部材の形状は適宜選択することが好ましい。例えば、該間隔が広い場合には、たわみを除去するために版胴方向へ強い圧力を必要とするため、比較的強い圧力を発生させる図２に示すＤ型版押さえ部材６や、図３に示すｎ型版押さえ部材９などが適している。
【００２２】
一方、間隔が狭い場合には、たわみを除去するための版胴方向への圧力は弱くて良いため、比較的弱い圧力を発生させる図４に示すＩ型版押さえ部材１０が適している。
【産業上の利用可能性】
【００２３】
本発明は、オフセット輪転印刷機におけるフレキシブルベース版の版掛けに適用できるものである。
【図面の簡単な説明】
【００２４】
【図１】本発明のくわえ側万力の隣接する万力同士の隙間に版押さえ部材を設置した態様を示す斜視図である。
【図２】本発明の版押さえ部材を設置した一実施態様を示す断面図である。
【図３】本発明の版押さえ部材を設置した一実施態様を示す断面図である。
【図４】本発明の版押さえ部材を設置した一実施態様を示す断面図である。
【図５】版胴に印刷版を装着した態様を示す斜視図である。
【図６】版胴に設けられたくわえ側万力の断面図である。
【図７】くわえ側万力付近の印刷版の断面図である。
【図８】良好な初期見当が得られた印刷画像を示す平面図である。
【図９】版胴に設けられたくわえ側万力の断面図である。
【図１０】くわえ側万力付近の印刷版の断面図である。
【図１１】部分的な歪みが発生した初期見当の印刷画像を示す平面図である。
【符号の説明】
【００２５】
１  版押さえ部材
２、７、１１、１４、１５  印刷版
３  くわえ側万力
４  くわえ尻側万力
５  版胴
６  Ｄ型版押さえ部材
８  くわえ側万力
９  ｎ型版押さえ部材
１０  Ｉ型版押さえ部材
１２  印刷用紙
１３、１６  印刷画像
Ｘ  くわえ側万力における印刷版を挿入させるために設けられている間隔
Ｙ  版胴に設けられたくわえ側万力の隣接する万力同士の隙間
【図１】
2005205760.tif 000003
【図２】
2005205760.tif 000004
【図３】
2005205760.tif 000005
【図４】
2005205760.tif 000006
【図５】
2005205760.tif 000007
【図６】
2005205760.tif 000008
【図７】
2005205760.tif 000009
【図８】
2005205760.tif 000010
【図９】
2005205760.tif 000011
【図１０】
2005205760.tif 000012
【図１１】
2005205760.tif 000013